(57)【特許請求の範囲】
【請求項１】
サムターンの回転によりデッドボルトの進退操作を行う扉の施錠装置において、
デッドボルトの進退操作を行うサムターン機構、
サムターン機構の回転を阻止、開放する制動機構、
鍵の回転により制動機構による上記サムターン機構の回転を阻止、開放動作を可能とする鍵穴機構、及び
これらの機構を収納するハウジングとその蓋から構成され、
上記サムターン機構は、サムターンの回転軸と共に回転する回転カムを介してその回転によりデッドボルトの進退操作を行う機構に連結され、
上記制動機構は、上記サムターン機構の回転カムと上記鍵穴機構との間で上下動するチェッカーを弾発部材によって上方の回転カムに向けて付勢して配置して該チェッカーの上昇位置において回転カムの凹部にチェッカー上部を嵌入させてその回転を阻止し、下降して離脱することによってその回転を可能とし、
上記鍵穴機構は、鍵を挿入して回転させるシリンダー、該シリンダーをその空間内で回転可能に収容する開口を設けた、鍵山数に相当する数のロック板を具え、
該シリンダ及びロック板は共にサムターン機構の回転軸と平行な軸の周りに回転可能に配置すると共に、該シリンダは各ロック板の開口内で挿入した鍵の一方向の回転で鍵山により該開口内側を押して回転することにより、ロック板をその回転端でそれぞれ鍵山の高さに応じて回転させ、
鍵の反対方向の回転でシリンダが該開口内側の他方側を押してその回転端でロック板を整列させるようにし、
各ロック板の上記制動機構のチェッカーに相対する周面には上記の鍵山の高さに応じて回転してチェッカーに相対した位置にそれぞれチェッカー下端を嵌入する谷部を設けることにより、
鍵の一方向の回動操作によって各ロック板の谷部をチェッカーに相対して整列せしめてサムターンを回転することにより、回転カムの凹部に嵌入したチェッカーを付勢した弾発力に抗して回転カムの該凹部から回転カム周面に向けて摺動して押し出すと共に該ロック板の谷部に押し込んで回転してデッドボルトの進退操作を可能とし、
さらに、サムターンを回転して回転カムの凹部をチェッカーに相対する位置としてチェッカーを付勢した弾発力により該凹部に嵌入して復帰させて、鍵の逆方向の回動操作により、上記各ロック板を反対方向に整列してサムターンの回転操作を阻止する、
ことを特徴とする、サムターンの施錠装置。
【請求項２】
前記サムターン機構とデッドボルトの進退操作を行う動作連動部において、
回転カムのデッドボルト側の面に位置決めピンを配置し、
該回転カムに相対してデッドボルトの進退操作を駆動する回転軸を具えた動作連動部を配置すると共に、該動作連動部の回転面に上記位置決めピンに当接してその回転を受ける動作連動受け板を設けて、サムターンの正逆回転によって正逆回転駆動されるように配置し、
サムターンの正逆回転の終点においてチェッカーが回転カムの凹部に嵌入復帰する共にデッドボルトの進退操作の終端に至るように配置した
ことを特徴とする、請求項１記載のサムターンの施錠装置。
【請求項３】
前記制動機構のチェッカーは、スリットを設けた座体のスリットを挿通してガイドされて上下動するように、板バネによって回転カムに向けて付勢されて支持されたことを
ことを特徴とする、請求項１又は２記載のサムターンの施錠装置。
【請求項４】
前記鍵穴機構の各ロック板は、それぞれの間にスペーサーとして回転を抑止されたプレートを介挿すると共に、ロック板軸ピン上で板状スプリングにより押圧されて整列されることより、独立に回転可能とされる、
ことを特徴とする、請求項１乃至３記載のサムターンの施錠装置。
【請求項５】
前記シリンダーは、挿入された鍵を回して中立位置に戻す回転側に向けて各ロック板開口内縁に当接する復帰カムを設け、鍵の中立位置において復帰カムに当接して回転した各ロック板をそれらの谷部の整列を解くと共にすべてのロック板を一列に整列させることを特徴とする、
請求項１乃至４記載のサムターンの施錠装置。
【請求項６】
上記サムターン機構は、クラッチを介して上記回転カムと結合され、
該クラッチは、サムターン軸に嵌合するクラッチ周面にクラッチピンの下半を収容する切欠きを設け、回転カム側にクラッチ及びクラッチピンを収納するサムターン座を設けると共に該サムターン座にクラッチピンを収納する開口からなるクラッチピン受け溝を設けてこれらの間にクラッチピンを収容してその外周をC型バネで被嵌することにより、
C型バネの押圧力の下でサムターンと回転カムと一体に回転可能としてサムターンにC型バネの押圧力に抗する過大な荷重を受けると、回転カムに対して空転するようにした、ことを特徴とする請求項１乃至５記載のサムターンの施錠装置。
【請求項７】
上記鍵穴機構の上記各ロック板のチェッカーに相対する周面をロック板の回転面に沿った弧状に形成すると共に該周面に上記谷部と共に浅いノコギリ歯を設けて、ロック板の不正な操作に対して前記チェッカーが掛止されてロック板の回転が阻止されるようにしたことを特徴とする、請求項１乃至４記載のサムターンの施錠装置。
【発明の詳細な説明】
【技術分野】
【０００１】
本発明は、不正な開錠を阻止するサムターン装置の施錠装置に関する。
【背景技術】
【０００２】
従来の錠前の多くはいわゆるシリンダー錠である。これらのシリンダー錠の構造は、外筒と呼ばれる円筒の中に内筒が収容されており、外筒は錠のケーシングに固定されている。内筒には鍵穴があり、外筒と内筒にまたがるようにタンブラーが配置されている。適正な鍵でないとこのタンブラーによって内筒が回転しないようになっている。
正しい鍵を挿入すると、すべてのタンブラーが障害とならない位置へと動き、内筒を回転させることができる。
代表的なシリンダー錠としてピンシリンダー錠とディスクシリンダー錠の例を挙げる。
【０００３】
（１）ピンシリンダー錠：
ピンタンブラーというピン状のタンブラーを使用するシリンダー錠である。上ピンと下ピンとに分かれており、バネで内筒側に押し付けられている。鍵を挿入していない状態では上ピンが障害となり、内筒は回転しない。  正しい鍵を差し込むことで、上ピンと下ピンの間のシアラインが内側と外側の間に揃い、内筒を回転できるようになる。違う鍵を差し込んだ場合は、シアラインが揃わないため、上ピンまたは下ピンが障害となり、内筒を回転させることができない。
【０００４】
（２） ディスクシリンダー錠：
ディスクタンブラーという円盤の形をしたタンブラーを使用したシリンダー錠である。このディスクタンブラーとスプリングが内筒に入っており、鍵を差し込まない状態ではタンブラーの片側が外筒側に飛び出しているため障害となって内筒を回転させることができない。正しい鍵を差し込むことで、タンブラーが内筒に収まり、回転が可能となる。正しくない鍵の場合は、タンブラーのどちらかが外筒に飛び出すために、内筒を回転させることはできない。
上記２種類のシリンダー錠が現在最も普及しているものであるが、双方ともにピッキング行為によってロックが解除され、盗難などの被害にあっている。
【先行技術文献】
【特許文献】
【０００５】
【特許文献１】特許第４８６１０４５号公報
【特許文献２】特許第４０８３８４３号公報
【発明の開示】
【発明が解決しようとする課題】
【０００６】
本発明は、ドアの施錠装置においてデッドボルトを操作するサムターン装置に対して施錠する扉錠であって、不正な開錠を効果的に阻止し、不可能とすることを技術的課題とする。
【課題を解決するための手段】
【０００７】
本発明は、施錠装置を収容する外殻、つまみの操作によってデッドボルトを回動するサムターン機構、サムターン機構のデッドボルトの駆動を制動する制動機構、及び鍵の操作によって制動機構を開錠、施錠する鍵穴機構から構成される扉の施錠装置であって、
サムターン機構は、つまみの回動動作によってデッドボルトを操作駆動するサムターン回転軸に対してクラッチを介して回転カムを設け、
制動機構は、上記回転カム凹部に嵌入してその回転を阻止するチェッカーを上下移動可能で且つその凹部に嵌合するように上方に向けて弾発力により付勢して配置し、鍵穴機構は、上記制動機構のチェッカーを鍵の操作によって上下位置に移動可能としてサムターン機構の回転カムの回転を阻止、又は回転可能とすることによって扉の施錠、開錠操作を行うものであって、
そのため、鍵を挿入する鍵穴を備え、鍵と共に回転するシリンダー、
該シリンダーを収容する空間を形成する開口を設けた鍵山の数に相当する数のロック板と各ロック板の間に介挿されてスペーサーとなるプレートを具え、
該シリンダーは、鍵穴から挿入された鍵と共に上記ロック板の開口内で回転して回転の一方の端で開口内縁に当接してその回転の限定位置でロック板を整列する復帰カムを設けると共に、逆方向の回転により鍵山で開口の反対側に当接して、その回転の限定位置で鍵山の高さに対応した角度にロック板を回転させ、
また、ロック板は該シリンダーと平行な軸によってそれぞれ独立に回動可能に支持され、前記チェッカーに相対する周辺を回転円の円弧状としてその各ロック板が鍵山に当接して回転の限定位置に達したとき、それぞれのロック板においてチェッカーに相対する位置にチェッカー下端を受ける谷部を形成したこと、を主たる特徴とする。
【０００８】
また、上記回転カムとサムターン回転軸との間にクラッチを介し、サムターンに対する過大な負荷に対してクラッチが空転して破損を回避し、さらに、上記ロック板のチェッカーに相対する周辺に谷部と共にノコギリ歯を設けることによって、ピッキング等によるロック板の操作に対してノコギリ歯がチェッカーに係止されてロック板の回動を阻止することにより、これらの不正な行為による開錠を防止する。
【発明の効果】
【０００９】
本発明の施錠装置は、ピッキングなどの不正な開錠操作を実用上不可能とし、安全性を確保することができる。
【発明を実施するための最良の形態】
【００１０】
本発明においては、扉の施錠・開錠はサムターンのつまみを回してデッドボルトを操作して行い、
鍵は、サムターンを回転可能なアンロック状態、或いは回転を阻止するロック状態とする操作を行うことにより、それぞれ扉の施錠・開錠状態とする。
従って、鍵によるサムターンのロック・アンロック操作と扉の施錠・開錠操作とは、扉を施錠する場合は、鍵を回してサムターンをアンロック状態として、サムターンを回してデッドボルトを進出させて扉を施錠し、その状態で鍵を逆に回してサムターンの回転をアンロック状態として鍵を抜く。
また、扉を開錠するには、鍵を回してサムターンをアンロック状態とし、サムターンを回してデッドボルトを後退させて扉を開錠し、その状態で鍵を逆に回してサムターンの回転をアンロック状態として鍵を抜く。
これらの操作を行う、本発明の構成について図を参照して以下に説明する。
〔実施例〕
第１〜４図により、本発明の１実施例のサムターンの施錠装置を示す。
本発明は、外殻１、制動機構２、鍵穴機構（錠前機構）３及びサムターン機構４から構成する。
外殻１は、施錠装置を収容するケースであって、扉前面側のハウジング１０及び後部を閉鎖するハウジングの蓋１１からなる。
ハウジング１０にはサムターンの回転軸を挿通するサムターン通し穴１２、シリンダーの鍵穴部を突出するシリンダー前部孔１３、及び裏側のシリンダーの回転限定部３５２が当接してシリンダーと共に鍵の回る範囲を規制する位置決め部１５が設けられており、シリンダー前部孔１３の上側には鍵の鍵山を挿通する差し込み口１６が形成される。
ハウジングの蓋１１に形成された貫通孔１７は、デッドボルトを駆動するためのサムターンの回転を伝える動作連動板４７１を外部のデッドボルトの駆動装置まで延長して突出させ、更に、シリンダーの回転軸を支持するシリンダー孔１８及びロック板の回転軸を支持する後部孔１９がある。
【００１１】
制動機構２は、サムターンの回転カム４１と鍵穴装置のロック板３１との間にあって、チェッカー２１がその上下移動により上端が回転カム凹部４１０に、下端がロック板の谷部３１０にそれぞれ交互に嵌合するように配置され、
チェッカー２１は、チェッカー座体２０に設けられたスリット状のチェッカーガイド２４を挿通して上下にスライド可能に配置され、座体２０に両端を固定された薄板バネ２２の弾発力によって上方に向けて押圧される。
このチェッカー２１が上方で回転カム凹部に嵌合すると回転カムの回転が阻止され、下降してロック板の谷部に下端が嵌合すると回転カムは薄板バネ２２の弾発力に抗してチェッカーを押し下げ可能となり、サムターンを回転操作してチェッカー上端を回転カム凹部から押し出しながら回転し、チェッカー上端と回転カム凹部との嵌合から開放されて自由に回転可能となる。
【００１２】
鍵穴機構３は、制動機構２に相対して位置し、ロック板軸ピン３０、鍵の山数に等しい数のロック板３１、各ロック板の間に介挿される複数のプレート３２、板状スプリング３３、ナット３４、シリンダー３５及び鍵３６を備える。
ロック板軸ピン３０はハウジング１０に一端を支持され、他端はハウジングの蓋１１のシリンダー後部孔１９を貫通して固定され、複数のロック板３１の下部、及びプレート３２を貫通して、ハウジングの蓋側に配置されたナット３４により板状スプリングを介してその弾発力によってロック板３１とプレート３２をハウジング10方向に押圧して整列する。
プレート３２にはオリフラ３２０が形成されてハウジング１０の底部壁面に当接し、ロック板３１の回転に対して連動して回転しないようにされる。
【００１３】
各ロック板３１のチェッカー２１に相対する上周辺にはそれぞれ深いノコギリ歯の谷部３１０及び複数の浅いノコギリ歯３１１がある。ノコギリ歯の谷部３１０はチェッカー２１の下端が嵌り込むためものであり、その箇所が整列する位置がアンロック位置である。ノコギリ歯３１１は、チェッカー２１が下方に位置した状態で接触してロック板３１の動きを抑制する。
各ロック板３１にはロック板開口３１２が形成され、この開口が形成する空間の内側にロック側３１３及びアンロック側３１４が形成される。
それぞれのロック板３１は、それぞれの間にプレート３２介挿して、独立に回転可能にロック板軸ピン３０に軸支されており、鍵はその中心位置から左右に９０度回転した位置でシリンダーの回転限定部３５２がハウジング１０の位置決め部１５に当接して、その回転を規定される。
それぞれのロック板は、チェッカーに相対するその外周にチェッカーの先端部を受け入れて落とし込む谷部３０１を設けており、その位置は鍵をアンロック側（断面図中左方向）に回転したときにその鍵山がロック板開口の内側に当接してロック板を回転させ、鍵の、すなわちシリンダーの規定された回転位置まで回転させたとき、それぞれのロック板はそれぞれ当接した鍵山の高さに応じた回転位置まで押されており、そのとき、それぞれのロック板の谷部の位置がチェッカーに相対する位置となるように、鍵の鍵山の高さに応じて谷部の位置を定めてある。
【００１４】
シリンダー３５は、複数のロック板３１のロック板開口３１２の中を挿通し、その両端はそれぞれハウジング１０のシリンダー前部孔１３及び蓋１１のシリンダー孔１８に回転可能に支持される。
シリンダー３５は鍵挿入溝３５０、復帰カム３５１及び回転限定部３５２を具え、鍵挿入溝３５０はシリンダー３５の周縁まで延長して切り欠いた開口を形成して鍵の鍵山を挿通可能となっている。
鍵３６は、鍵挿入溝３５０に差し込んでシリンダー３５を回して施錠、開錠操作するために複数のロック板３１にそれぞれ対応する複数の鍵山３６０が形成され、これらの突出した鍵山はハウジング１０の前記差込口１６を通過してシリンダー内に挿入される。
シリンダー３５の回転限定部３５２は、鍵を挿入する位置から左右９０度回転した位置でハウジング１０の位置決め部１５に当接し、その回転を規定される。
【００１５】
サムターン機構４は、サムターン４０、回転カム４１、クラッチ４２、クラッチピン４３、Ｃ型バネ４４、カバープレート４５、Ｃ型ストッパーリング４６及び動作連動部４７から構成される。
サムターン４０は、サムターン回転軸４００をハウジング１０前部のサムターン通し穴１２を通してハウジング１０中に延長してハウジング１０に回転可能に支持される。
また、サムターン回転軸４００の端部にはＣ型ストッパーリング４６を嵌合するサムターンの軸溝４０１がある。
回転カム４１は、回転可能な状態でサムターン回転軸４００に取り付けられており、その周面には凹部４１０があり、その両面にはそれぞれサムターン座４１１及び回転カム上位置決めピン４１２が配置される。回転カムの凹部４１０はチェッカー２１の上端部を収容する凹部箇所であり、その嵌合した状態がロックされた状態である。
回転カムの凹部４１０の両側周縁は緩やかなカーブを経て外周に接続し、回転カムの回転に伴ってチェッカー２１の上端部をスムーズに回転カム４１の周面上を滑動可能とする。アンロック状態ではチェッカー２１下端が整列したロック板の谷部に相対しており、回転カムはチェッカー２１の上端部を押し下げてこの周面がチェッカー上端と接触しながら回転可能となる。
【００１６】
回転カム前面のサムターン座４１１の円周状の側壁にはスリット状のクラッチピン受座４１３が設けられ、クラッチ４２はサムターン回転軸４００を挿通して取り付けられており、サムターン回転軸４００の回転に連動してサムターン座４１１内で回転する。クラッチ４２の周面にはクラッチピン受座４１３と合わせてクラッチピンを受ける切り欠き４２０が設けられ、これらの間にクラッチピン４３を収容してC型バネ４４をサムターン座４１１外周に嵌合してクラッチピンを押圧した状態に保持する。カバープレート４５は、サムターン回転軸４００に回転可能に挿通されてサムターン座４１１の開口側を蓋をしてこれらクラッチ４２、クラッチピン４３及びC型バネ４４をサムターン座４１１内に保持する。
この状態で、クラッチピン４３はサムターン座４１１のスリット状のクラッチピン受座４１３に収容されて、その下半分がC型バネ４４に押圧されてクラッチ４２の切り欠き４２０に嵌め込まれており、サムターン１０が回転するとサムターン回転軸４００と共にサムターン回転軸に嵌合されたクラッチ４２及びサムターン座４１１が一体となって回転する。
Ｃ型ストッパーリング４６は、サムターンの軸溝４０１に嵌合して、回転カム４１及びカバープレート４５をサムターン回転軸４００に保持する。
動作連動部４７は、同軸受板４７０、動作連動板４７１及び動作連動受板４７２を具え、ハウジングの蓋１１の通孔１７によって回転可能に支持される。同軸受板４７０は、サムターン回転軸４００の末端部に回転可能に支持され、動作連動板４７１はハウジングの蓋１１の通孔１７を挿通して外側に延長されてデッドボルトを進退操作（図面では未表示）するための回転力を伝達する（図１４参照。）。
動作連動部４７の外周面に凸状の動作連動受板４７２が設けられ、回転カム４１が時計周り、反時計周りに360度回転すると、動作連動受板４７２が回転カムの上位置決めピン４１２に押されて正逆回転してデッドボルトの後退操作が行なわれ、デッドボルトの進出、後退により、扉の施錠、開錠が行なわれる。
【００１７】
図５は、サムターンのロック状態を示す。
このとき、シリンダー３５の回転限定部３５２はハウジング１０の位置決め部１５に当接し、シリンダーの復帰カム３５１が各ロック板３１の開口３１２内のロック側３１４を推して回転させ、すべてのロック板３１を同じ角度で整列させた状態にある。
この状態では、ロック板の谷部３１０は各ロック板外周縁上のそれぞれの位置にあってチェッカー２１下端に対して外れた位置にあり、チェッカー２１は薄板バネ２２の弾発力により上方に押圧されて復帰（ロック）位置にあり、回転カム４１の凹部４１０にチェッカー上端が嵌合して回転カム４１の回転を阻止している。
【００１８】
図６は、図５の状態から鍵３６を時計回りに９０度回転した状態を示す（図中央のハウジングの断面図は、その裏面方向から見た図であるため、左右及び回転方向が右の扉表側の図とは逆方向となる。）。
鍵穴から挿入された鍵３６は、シリンダー３５に沿ってロック板３１の開口３１２内に挿入され、鍵を回すと鍵のそれぞれの鍵山３６０が対応するロック板３１のアンロック側３１３を推して回転させ、シリンダー３５の回転限定部３５２がハウジング１０の位置決め部１５に当接する位置まで回転する。
各ロック板３１のチェッカー２１に相対する周面には、チェッカー下端を嵌合する谷部が設けられており、その位置は上記のシリンダーの回転位置において、各ロック板がそれぞれに対応する鍵の鍵山の高さに応じた角度まで回転し、ノコギリ歯を設けた周面の谷部３１０がチェッカー２１に対して一列に整列し、チェッカーが下降して整列した谷部に嵌合可能とする位置とする。
これが鍵による回転カムのアンロック操作であって、チェッカー２１はロック板の谷部に下降可能となる。
次いで、サムターン４０を時計回りに回す（図中断面図では逆方向の回転であることに留意。）とチェッカー２１の上端は回転カム４１の凹部４１０から斜面を経て滑動して回転カム４１の周面に押圧されて下降し、チェッカー２１の下端はノコギリ歯の谷部３１０内に押し込まれてチェッカー２１が下方のアンロック位置へと移動する。
サムターン４０をさらに時計回りに２７０度回転すると、クラッチ４２を介してサムターン回転軸４００に連結された回転カム４１が回転して回転カム裏面上の位置決めピン４１２がその位置で丁度動作連動受板４７２の突出した側面に当接する。
【００１９】
図７は、サムターン４０を更に回転させてドアのデッドボルト（図示せず。）を後退させて開錠操作を行う状態を示す。
サムターン４０をさらに時計回り９０度（上記の２７０度と合わせて計３６０度）回転すると、回転カム４１はサムターン４０と連動して同じく更に９０度回転し、同時に回転カム４１の回転カム上位置決めピン４１２が動作連動受板４７２突出部を押して時計回りに９０度の回転を与える。
この動作連動部４７の９０度の回転により蓋１１から外部に延長された動作連動板４７１を経てドアのデッドボルト操作機構（図１４参照。）を時計周り９０度回転駆動してドアのデッドボルトを後退させて開錠動作を行う。
【００２０】
このとき、回転カム４１はサムターン４０によって一回転し、回転カムの凹部４１０が下向きに位置し、チェッカー２１が薄板バネ２２の反発力によって上昇して、チェッカー２１の上端は回転カムの凹部４１０の凹部に収まり、その下端はノコギリ歯の谷部３１０から離脱する。
図８は、図７の状態からサムターンをロック状態とする操作を示す。
この状態で鍵３６を逆時計回りに９０度に回すと、シリンダー３５の復帰カム３５１が複数のロック板３１を開口内の空間でロック側３１４を推して回転させ、位置決め部１５によって規定される位置ですべてのロック板を整列させることにより、それら駆動板３１外周の谷間の位置をずらしてチェッカー２１が入らない状態とする。
また、鍵３６はその中立位置に戻って鍵山が鍵挿入溝３５０の差込口１６を通過するようになって抜き出すことができる。
この状態で、ドアの施錠機構は開錠されており、ドアノブの操作によりドアの開閉を行うことができる。
【００２１】
図９は、前記のドアの施錠装置が開錠された状態から、再びドアを施錠するための操作を示す。
先ず、鍵３６を鍵挿入溝３５０に差込み、時計周りに９０度回転すると、鍵３６上にある複数の鍵山３６０がそれぞれのロック板３１の開口内のアンロック側３１３を押して回転させ、鍵山の高さに応じた角度に回転させてそれぞれのロック板３１周縁の谷部３１０をチェッカー２１に対して一直線に整列させる。
この状態でチェッカー２１の先端は整列したロック板３１周面の谷部３１０に進入可能となり、チェッカー２１が昇降スライド可能となる。
次に、サムターン４０を逆時計回りに回すと、各ロック板３１周面の谷部３１０がチェッカー２１に相対する位置で一列に整列しているため、チェッカー２１の昇降スライド可能な状態にあり、回転カム４１が回転してチェッカー２１の上端が回転カム４１の凹部４１０からその斜面を経て回転カム４１の周面を滑動してチェッカー２１を押圧し、薄板バネ２２の弾発力に抗してチェッカー２１の下端がノコギリ歯の谷部３１０へ押し込まれる。
サムターン４０を更に逆時計回りに２７０度回転させると、クラッチ４２を介して回転カムが回転し、回転カム上位置決めピン４１２が動作連動受板４７２の前記と反対側の側面に当接する。
【００２２】
図１０は、上記図９の状態からサムターン４０をさらに逆時計周りに９０度（図９で既に逆時計周り２７０度回し、トータルで逆３６０度となる）回した状態を示す。
サムターン４０と共に回転カム４１は逆時計回りに９０度回転し、回転カム４１の位置決めピン４１２が動作連動受板４７２を押して、動作連動部４７も逆時計周りに９０度回転（断面図は反対側から見るため、逆に時計周り回転となる。）する。この動作連動部４７の蓋１１外部に延長された動作連動板４７１によりドアのデッドボルト操作機構を作動させて、デッドボルトを進出させドアが施錠される。
【００２３】
図１１は、上記で記述したようにドアが施錠された状態で、回転カム４１がサムターン４０により一回転して、回転カムの凹部４１０が下方に位置した状態を示している。
チェッカー２１は、薄板バネ２２の弾発力によって上昇してアンロック位置からロック位置へと移動し、チェッカー２１の上端部が回転カムの凹部４１０中へ収まって下端はノコギリ歯の谷部３１０より離脱している。
この状態で、鍵３６を逆時計周りに９０度回転すると、シリンダー３５の復帰カム３５１が各ロック板３１の開口内のアンロック側３１４を押して、各ロック板３１を元の中立位置へと戻し、鍵挿入溝３５０から鍵３６を抜き出すことができる。
この状態で、ドアは施錠され、前記した鍵によらなければドアの開閉操作はできない。
【００２４】
図１２及び図１３は、本発明の防犯装置がピッキング行為によって開錠操作できないことを示す。
施錠された状態で各ロック板３１周縁のノコギリ歯の谷部３１０は区々の位置にあり、
チェッカー２１は回転カム４１の凹部４１１の凹部にその先端が収まると共に、下端部は各ロック板周縁の谷部３０１から外れたノコギリ歯３１１の領域にあって、下降することができない。
従って、このサムターン４０のロック状態においては、サムターンは回転カム４１の凹部４１内に収まっているチェッカーの遊びの範囲の約6度くらいまでしか回転できず、回転カム４１の回転がチェッカー２１によって阻止されるため、サムターンを操作してドアの施錠装置を開錠することはできない。
【００２５】
そして、この状態においてはサムターンのロック状態を解除するため、ロック板を操作しようとしても、ロック板３１はチェッカー２１の下端がロック板周縁のノコギリ歯３１１の領域にあって、チェッカー下端がノコギリ歯３１１に阻止されて回転を妨げられるため、ピッキング行為で使われる針金やドライバー等といった道具ではロック板３１を動かすことはできない。
或いは、サムターンを中立位置に戻して、チェッカー先端が回転カムの凹部４１１に嵌合した上昇位置として、ロック板３１を自由に回転可能としても、ロック板はそれぞれの独立に回転可能であるため、谷部３１０に関するなんらの感触も得られず、谷部３１０が整列する位置を探り当てることはできない。
【００２６】
不正な開錠操作を回避するには、サムターン機構が過大な負荷によって破損することを防止する必要があり、また、室内から鍵によることなく扉の施錠、開錠が行える必要がある。
本発明においてサムターンと回転カムとの間に介在するクラッチは、この、サムターン機構が過大な負荷によって破損することを防止するためのものである。
サムターンの回転軸であるサムターン回転軸４００は、クラッチ４２と嵌合して一体に回転するが、回転カム４１のクラッチに相対する側にクラッチ４２、クラッチピンを収納するサムターン座４１１が設けられ、サムターン座のクラッチピン受け溝４１３に収容されたクラッチピンはサムターン座４１１に被嵌するC型バネ４４の押圧力によりクラッチ外周に設けられた切欠き４２０に下部を押し込まれ、カバープレート４５に蓋をされて一体化され、サムターンの回転に伴って回転カムも一体として回転する。
この回転カムが前述のようにロックされた状態でサムターンを無理に回すような過大な負荷がかけられると、C型バネ４４の押圧力に抗してクラッチピン４３がサムターン回転軸のクラッチの切欠きから押し出されてサムターン座４１１内でサムターンの回転軸が空転するようになり、回転カムにそれ以上の過大な力が及ぶことを防止する。
【００２７】
また、扉の室内側から扉の開錠・施錠操作を行うには、扉のデッドボルトを操作する動作連動部４７は、回転カムの位置決めピン４１２当接しない範囲で回転操作可能であるから、扉内側に動作連動部４７を回すつまみ（図示せず。）などを設けて、つまみを図５〜図８の状態まで回せば回転カムに関係なく扉のデッドボルトを後退操作して扉を開錠することができ、その逆の操作によって扉を施錠することができる。
【図面の簡単な説明】
【００２８】
【図１】本発明のサムターンの施錠装置の分解斜視図（扉の表側から見た図）。
【図２】本発明のサムターンの施錠装置の分解斜視図（扉の裏側から見た図）。
【図３】本発明のサムターンの施錠装置断面図。
【図４】図３のＡ−Ａ線に沿った断面図。
【図５】サムターンの回転が阻止され、ロックされた状態、鍵は中立位置を示す。
【図６】鍵を中立位置から右に回転してロック板の谷部を整列させ、チェッカーを下降可能としてサムターンのロックを解除し、２７０度回転した状態。
【図７】サムターンを図６から更に９０度回転し、デッドボルトを後退操作し、チェッカーを復帰させて回転カムの凹部に嵌入した状態。
【図８】図７の状態から鍵を中立位置に戻し、シリンダーの復帰カムによってロック板を谷部が整列した状態から、元の位置に整列させた状態。
【図９】鍵を中立位置から右に回転してロック板の谷部を整列させ、チェッカーを下降可能としてサムターンのロックを解除し、サムターンを図６と逆に２７０度回転させた状態。
【図１０】サムターンを図９から更に９０度回転してデッドボルトを進出操作した状態。
【図１１】図１０の状態から鍵を中立位置に戻し、シリンダーの復帰カムによってロック板を谷部が整列した状態から、元の位置に整列させた状態。
【図１２】本発明装置で施錠された状態で、サムターンの回転が回転カムの遊び以上に回転できない状態を示す。
【図１３】ピッキング等によってロック板を操作しても、ロック板外周面のノコギリ歯がチェッカーに当たってその回転が阻止され、サムターンに過大な負荷がかかってクラッチが空転する状態を示す。
【図１４】サムターンによって操作されるデッドボルトとの動作関係を示す斜視図。
【符号の説明】
【００２９】
１    外殻
１０  ハウジング
１１  ハウジング蓋
１２  サムターン通し穴
１３  シリンダー前部孔
１４  前シリンダー受け座
１５  位置決め部
１５  差し込み口
１７  通孔
１８  シリンダー孔
１９  ロック板軸
２    制動機構
２０  チェッカー座体
２１  チェッカー
２２  薄板バネ
２３  ネジ
２４  チェッカーガイド
２５  スプリング定置孔
２６  スプリング作動空間
３    鍵穴機構
３０  ロック板軸ピン
３１  ロック板
３１０  ノコギリ歯の谷部
３１１  ノコギリ歯
３１２  ロック板開口
３１３  アンロック軸
３１４  ロック側
３２  プレート
３２０  オリフラ
３３  板状スプリング
３４  ナット
３５  シリンダー
３５０  鍵挿入溝
３５１  復帰カム
３５２  回転限定部
３６  鍵
３６０  鍵山
４    サムターン機構
４０  サムターン
４００  サムターン回転軸
４０１  サムターンの軸溝
４１  回転カム
４１０  回転カムの凹部
４１１  サムターン座
４１２  回転カム位置決めピン
４１３  クラッチピン受け軸
４２  クラッチ
４２０  切り欠き
４３  クラッチピン
４４  Ｃ型バネ
４５  カバープレート
４６  Ｃ型ストッパーリング
４７  動作連動部
４７０  同軸受け皿
４７１  動作連動板
４７２  動作連動受け板  
５      デッドボルト
【図１】
0006045020.tif 000002
【図２】
0006045020.tif 000003
【図３】
0006045020.tif 000004
【図４】
0006045020.tif 000005
【図５】
0006045020.tif 000006
【図６】
0006045020.tif 000007
【図７】
0006045020.tif 000008
【図８】
0006045020.tif 000009
【図９】
0006045020.tif 000010
【図１０】
0006045020.tif 000011
【図１１】
0006045020.tif 000012
【図１２】
0006045020.tif 000013
【図１３】
0006045020.tif 000014
【図１４】
0006045020.tif 000015